(57)【要約】【課題】ポリウレタンフォームが荷重を受けた際にポリウレタンフォームの変形で支えることで、患者等の体に加わる反力を小さくでき、接触圧力を軽減させることを目的とする。【解決手段】ポリウレタンフォームからなるマットレス片１０の裏面に、半球状のくり抜き孔１２を複数個並設し、且つ、マットレス片１０の表面に、くり抜き孔１２の位置に対応する部位を囲うようにマットレス片１０の裏面に向けて、途中の深さまでスリット１４を設けた。【選択図】図１
2012000169.tif 000002
【特許請求の範囲】
【請求項１】
ポリウレタンフォームからなるマットレス片であって、
前記マットレス片の裏面には、半球状のくり抜き孔が複数個並設され、且つ、前記マットレス片の表面には、前記くり抜き孔の位置に対応する部位を囲うように前記マットレス片の裏面に向けて、途中の深さまでスリットが設けられていることを特徴とするマットレス片。
【請求項２】
前記マットレス片のうち、寝た人の頭部と接する位置とその近傍の裏面に設けられている前記くり抜き孔は、他の位置に設けられているくり抜き孔よりも、くり抜き深さが浅くなっていることを特徴とする請求項１記載のマットレス片。
【請求項３】
前記マットレス片のうち、寝た人の臀部と接する位置とその近傍の裏面に設けられている前記くり抜き孔は、他の位置に設けられているくり抜き孔よりも、くり抜き深さが浅くなっていることを特徴とする請求項１記載のマットレス片。
【請求項４】
前記マットレス片のうち、寝た人の踵部と接する位置とその近傍の裏面に設けられている前記くり抜き孔は、他の位置に設けられているくり抜き孔よりも、くり抜き深さが深くなっていることを特徴とする請求項１〜３いずれか１項記載のマットレス片。
【請求項５】
前記マットレス片は、硬さが９０〜１１０Ｎの範囲内であることを特徴とする請求項１〜４いずれか１項記載のマットレス片。
【請求項６】
複層構造のポリウレタンフォームからなる積層マットレスであって、
前記積層マットレスは、
請求項１〜５いずれか１項記載のマットレス片の下側に他のマットレス片を配置してなることを特徴とする積層マットレス。
【発明の詳細な説明】
【技術分野】
【０００１】
本発明は、ウレタンフォームからなるマットレス片及び積層マットレスに関するもので、特に、表面及び裏面に特殊形状加工を施したマットレス片及びそのマットレス片を用いた積層マットレスに関するものである。
【背景技術】
【０００２】
従来、マットレスとしては、マットレス全体を同一素材で構成したものや、異なる硬さのウレタンフォームを厚み方向に複数種類積層させたものなどがある。また、マットレスを３分割や複数分割したものや、マットレスの部位毎に変えることができるようにしたものなども知られている。
【０００３】
また、特許文献１には、表面層と裏面層間に中間層を有する三層からなり、前記表面層と裏面層が軟質ポリウレタン発泡体からなり、前記中間層が硬綿からなり、さらに、前記表面層の表面がプロファイル加工されていることを特徴とするマットレスが開示されており、このマットレスによると、体圧分散性が良好なものになるとされている。
【先行技術文献】
【特許文献】
【０００４】
【特許文献１】特開２００６−９５０８２
【発明の概要】
【発明が解決しようとする課題】
【０００５】
上記特許文献１に記載のマットレスにおいては、表面層の表面にプロファイル加工を施すことによって、体圧分散性に優れたものとなってはいるが、ポリウレタンフォームの特性として、横方向の力に対する影響は小さく、縦方向の力を主成分として圧縮しながら変形する性質があるため、患者等が横臥し、マットレスが沈み込むと、ポリウレタンフォームが圧縮され、体に追従することになるが、踵部や臀部等の高荷重により圧縮されて固くなった部分は、反力となって体へ圧力を加えてしまっていた。
【０００６】
本発明は、上述の問題を解決するためのもので、ポリウレタンフォームが荷重を受けた際のポリウレタンフォームの圧縮率を抑えることで、患者等の体に加わる反力を小さくでき、接触圧力を軽減させることを目的とするものである。
【課題を解決するための手段】
【０００７】
上述の課題に対応するため、本発明は、以下の技術的手段を講じている。
即ち、請求項１記載の発明は、ポリウレタンフォームからなるマットレス片であって、前記マットレス片の裏面には、半球状のくり抜き孔が複数個並設され、且つ、前記マットレス片の表面には、前記くり抜き孔の位置に対応する部位を囲うように前記マットレス片の裏面に向けて、途中の深さまでスリットが設けられていることを特徴とするマットレス片である。
【０００８】
また、請求項２記載の発明は、請求項１記載のマットレス片であって、前記マットレス片のうち、寝た人の頭部と接する位置とその近傍の裏面に設けられている前記くり抜き孔は、他の位置に設けられているくり抜き孔よりも、くり抜き深さが浅くなっていることを特徴としている。
【０００９】
そして、請求項３記載の発明は、請求項１記載のマットレス片であって、前記マットレス片のうち、寝た人の臀部と接する位置とその近傍の裏面に設けられている前記くり抜き孔は、他の位置に設けられているくり抜き孔よりも、くり抜き深さが浅くなっていることを特徴としている。
【００１０】
請求項４記載の発明は、請求項１〜３いずれか１項記載のマットレス片であって、前記マットレス片のうち、寝た人の踵部と接する位置とその近傍の裏面に設けられている前記くり抜き孔は、他の位置に設けられているくり抜き孔よりも、くり抜き深さが深くなっていることを特徴としている。
【００１１】
またさらに、請求項５記載の発明は、請求項１〜４のいずれか１項記載のマットレス片であって、前記マットレス片は、硬さが９０〜１１０Ｎの範囲内であることを特徴としている。
【００１２】
そして、請求項６記載の発明は、複層構造のポリウレタンフォームからなる積層マットレスであって、前記積層マットレスは、請求項１〜５いずれか１項記載のマットレス片の下側に他のマットレス片を配置してなることを特徴とする積層マットレスである。
【発明の効果】
【００１３】
請求項１記載の発明によれば、ポリウレタンフォームからなるマットレス片の裏面に半球状のくり抜き孔が複数個並設され、且つ、マットレス片の表面には、裏面に設けられたくり抜き孔に対応する部位を囲うように、マットレス片の裏面に向けて、途中の深さまでスリットが設けられていることから、マットレス片表面に荷重を受けた際に、マットレス片の表面に加わる張力を分断させ、一定量の沈み込みに対しては、スリットに囲まれたマットレス片の部位毎に変形させることが可能となるため、低圧力で体を一定量沈み込ませることができるようになる。
【００１４】
また、マットレス片の表面は全面に渡りフラットな形状となっていることから、図６（ａ）に示すように、マットレス片１０への広範囲な荷重に対しては、面剛性による安定感を発揮し、寝返り時などに動きやすくなる。さらに、図６（ｂ）に示すように、マットレス片１０への狭範囲（例えば、骨突出部）な集中荷重に対しては、一定量の沈み込みに対しては、スリット１４に囲まれたマットレス片１０の部分毎が変形（くり抜き孔１２とともに）するため、高い除圧性能を発揮することができるようになる。
【００１５】
またさらに、通常、ポリウレタンフォームは、長年の使用により、「ヘタリ」と呼ばれる圧縮永久歪みが生じてしまうが、本発明に係るマットレス片は、通常受ける荷重がかかった場合、マットレス片を圧縮させるのではなく、変形させるものであるため、上記の圧縮永久歪みが生じにくいといった効果も奏する。
【００１６】
請求項２記載の発明によれば、マットレス片のうち、寝た人の頭部と接する位置とその近傍の裏面に設けられているくり抜き孔が、他の位置に設けられているくり抜き孔よりもくり抜き深さが浅くなっているため、寝た人の頭部と接する位置近傍の沈み込みを他の位置よりも抑えることが可能となる。
【００１７】
請求項３記載の発明によれば、マットレス片のうち、寝た人の臀部と接する位置とその近傍の裏面に設けられているくり抜き孔が、他の位置に設けられているくり抜き孔よりもくり抜き深さが浅くなっているため、寝た人の臀部と接する位置近傍の沈み込みを他の位置よりも抑えることが可能となる。
【００１８】
請求項４記載の発明によれば、マットレス片のうち、寝た人の踵部と接する位置とその近傍の裏面に設けられているくり抜き孔が、他の位置に設けられているくり抜き孔よりもくり抜き深さが深くなっているため、寝た人の踵部と接する位置近傍の反力を小さくすることができ、接触圧力を軽減させることが可能となる。
【００１９】
請求項５記載の発明によれば、マットレス片のＪＩＳ  Ｋ６４０１に準拠して２５％圧縮した際の硬さが、およそ９０〜１１０Ｎ程度となっているため、体圧分散性に優れ、床ずれ防止に効果的である。
【００２０】
請求項６記載の発明によれば、複層構造のポリウレタンフォームからなる積層マットレスは、請求項１〜５いずれか１項記載のマットレス片の下側に他のマットレス片を配置してなる構成であるため、一定量の沈み込みに対しては、最上層に位置するマットレス片のスリットに囲まれた部位毎に圧縮させずに、変形させることが可能となるため、低圧力で体を一定量沈み込ませることができるようになるといった効果が生じる。
【図面の簡単な説明】
【００２１】
【図１】本発明に係るマットレス片の第１の実施形態を示したもので、（ａ）側面図、（ｂ）は底面図、（ｃ）は平面図を表している。
【図２】本発明に係るマットレス片の第２の実施形態を示したもので、（ａ）側面図、（ｂ）は底面図、（ｃ）は平面図を表している。
【図３】本発明に係るマットレス片の第３の実施形態を示したもので、（ａ）側面図、（ｂ）は底面図、（ｃ）は平面図を表している。
【図４】本発明に係るマットレス片の第４の実施形態を示したもので、（ａ）側面図、（ｂ）は底面図、（ｃ）は平面図を表している。
【図５】本発明に係る積層マットレスの実施形態を示したもので、（ａ）側面図、（ｂ）は平面図を表している。
【図６】本発明に係るマットレス片への荷重を示した概念図で、（ａ）は広い範囲における荷重、（ｂ）は狭い範囲での荷重を表している。
【図７】マットレスの沈み込み量と体への反力の関係を示したグラフで、（ａ）は従来のマットレス、（ｂ）は本発明に係るマットレスを表している。
【発明を実施するための形態】
【００２２】
以下、本発明の実施形態について、図面を参照しながら説明する。
図１は、本発明に係るマットレス片の第１の実施形態を示したもので、１０はマットレス片、１２はくり抜き孔、１４はスリットを意味している。
【００２３】
図１（ａ）及び（ｂ）に示すように、マットレス片１０の裏面には、半球状のくり抜き孔１２が、所定の間隔をもって複数個並設されている。なお、本実施形態では、マットレス片１０の周側部分の裏面には、くり抜き孔を設けない構成とすることにより、患者等がマットレス片１０の周側部分に座った際に、体が沈み込むのを防ぐようにしているが、本発明は、これに限定されるものではない。
【００２４】
また、マットレス片１０の表面には、図１（ａ）及び（ｃ）に示すように、マットレス片１０の裏面に設けられたくり抜き孔１２の位置に対応する部位を囲むようにスリット１４がマットレス片１０の裏面に向けて、途中の深さ（マットレス片１０の裏面に到達しない位置）まで設けられている。
【００２５】
くり抜き孔１２及びスリット１４を設けることによって、マットレス片１０が、表面側からの荷重を受けた際に、一定量の沈み込みに対しては、スリット１４に囲まれたマットレス片１０の部位（くり抜き孔１２の位置に対応する部位）毎に圧縮させずに、変形させることができるため（図６（ｂ）参照）、低圧力でも患者等の体を一定量沈みこませることが可能となり、図７にグラフとして示すように、従来のマットレス片に比べ、体にかかる圧力（反力）を軽減させることができる（ΔＳ分の圧力が軽減する）。
【００２６】
なお、本実施形態におけるマットレス片１０のくり抜き孔１２は、マットレス片１０の厚みが４０ｍｍの場合は、深さが２５ｍｍで、直径が７０ｍｍ、マットレス片１０の厚みが５０ｍｍの場合は、深さが３５ｍｍで、直径が８０ｍｍ程度とし、体圧分散性に優れたものとするが、これに限定されるものではない。
【００２７】
また、スリット１４の深さは、マットレス片１０の厚みが４０ｍｍの場合は、２０ｍｍ程度、マットレス片１０の厚みが５０ｍｍの場合は、２５ｍｍ程度とするのが好ましく、さらに、マットレス片１０をＪＩＳ  Ｋ６４０１に準拠して２５％圧縮した際の硬さが、およそ９０〜１１０Ｎ程度にすることで、体圧分散性の向上が望める。
【００２８】
続いて、図２は、本発明に係るマットレス片の第２の実施形態について示したもので、符号は、図１と同様である。本実施形態では、図２（ａ）及び（ｂ）に示すように、マットレス片１０の裏面には、半球状のくり抜き孔１２が、所定の間隔をもって複数個並設されている。そして、患者等が寝た際に頭部と接する位置とその近傍５０の裏面に設けられているくり抜き孔１２は、他の位置に設けられているくり抜き孔１２よりもくり抜き深さが浅くなっている。くり抜き深さを浅くすることによって、頭部と接する位置とその近傍５０の沈み込みを他の位置の沈み込みよりも抑えることが可能となっている。
【００２９】
また、マットレス片１０の表面には、図２（ａ）及び（ｃ）に示すように、くり抜き孔１２の位置に対応する部位を囲むようにスリット１４がマットレス片１０裏面に向けて、途中の深さ（マットレス片１０の裏面に到達しない位置）まで設けられている。
【００３０】
くり抜き孔１２及びスリット１４を設けることによって、マットレス片１０が、表面側からの荷重を受けた際に、一定量の沈み込みに対しては、スリット１４に囲まれたマットレス片１０の部位（くり抜き孔１２の位置に対応する部位）毎に圧縮させずに、変形させることができるため（図６（ｂ）参照）、低圧力でも患者等の体を一定量沈みこませることが可能となり、また、体にかかる圧力（反力）を軽減させることも可能となる。
【００３１】
なお、本実施形態におけるマットレス片１０のくり抜き孔１２は、頭部と接する位置とその近傍５０を除く位置では、マットレス片１０の厚みが４０ｍｍの場合は、深さが２５ｍｍで直径が７０ｍｍ、マットレス片１０の厚みが５０ｍｍの場合は、深さが３５ｍｍで、直径が８０ｍｍ程度とし、体圧分散性に優れたものとする。また、頭部と接する位置とその近傍５０の裏面に設けられているくり抜き孔１２の深さは、マットレス片１０の厚さが４０ｍｍの場合は、２０ｍｍ（孔の直径は、７０ｍｍ）程度とすると、沈み込みを抑えるのに効果的であるが、これらに限定されるものではない。
【００３２】
なお、くり抜き孔１２の深さ及び直径やスリット１４の深さについては、第１の実施形態と同様である。さらに、マットレス片１０をＪＩＳ  Ｋ６４０１に準拠して２５％圧縮した際の硬さが、およそ９０〜１１０Ｎ程度にすることで、体圧分散性の向上が望める。
【００３３】
次に、図３は、本発明に係るマットレス片の第３の実施形態を示したもので、符号は、図１と同様である。本実施形態では、図３（ａ）及び（ｂ）に示すように、マットレス片１０の裏面には、半球状のくり抜き孔１２が、所定の間隔をもって複数個並設されている。そして、患者等が寝た際に臀部と接する位置とその近傍６０の裏面に設けられているくり抜き孔１２は、他の位置に設けられているくり抜き孔１２よりもくり抜き深さが浅くなっている。くり抜き深さを浅くすることによって、臀部と接する位置とその近傍６０の沈み込みを他の位置の沈み込みよりも抑えることが可能となっているのである。
【００３４】
なお、本実施形態におけるマットレス片１０のくり抜き孔１２は、臀部と接する位置とその近傍６０を除く位置では、マットレス片１０の厚みが４０ｍｍの場合は、深さが２５ｍｍで直径が７０ｍｍ、マットレス片１０の厚みが５０ｍｍの場合は、深さが３５ｍｍで、直径が８０ｍｍ程度とし、体圧分散性に優れたものとし、また、臀部と接する位置とその近傍６０の裏面に設けられているくり抜き孔１２の深さは、マットレス片１０の厚さが４０ｍｍの場合は、１５ｍｍ（孔の直径は７０ｍｍ）程度とすると沈み込みを抑えるのに効果的であるが、これらに限定されるものではない。
【００３５】
さらに、マットレス片１０をＪＩＳ  Ｋ６４０１に準拠して２５％圧縮した際の硬さが、およそ９０〜１１０Ｎ程度にすることで、体圧分散性の向上が望める。また、スリット１４の深さは、第１の実施形態と同様である。
【００３６】
そして、図４は、本発明に係るマットレス片の第４の実施形態を示したもので、符号は、図１と同様である。本実施形態では、図４（ａ）及び（ｂ）に示すように、マットレス片１０の裏面には、半球状のくり抜き孔１２が、所定の間隔をもって複数個並設されている。そして、患者等が寝た際に踵部と接する位置とその近傍７０の裏面に設けられているくり抜き孔１２は、他の位置に設けられているくり抜き孔１２よりもくり抜き深さが深くなっている。くり抜き深さを深くすることによって、踵部と接する位置とその近傍７０の沈み込みを他の位置の沈み込みよりも大きくすることができるため、踵部への反力を極力抑えることが可能となる。
【００３７】
なお、本実施形態におけるマットレス片１０のくり抜き孔１２は、踵部と接する位置とその近傍７０を除く位置では、マットレス片１０の厚みが４０ｍｍの場合は、深さが２５ｍｍで、直径が７０ｍｍ、マットレス片１０の厚みが５０ｍｍの場合は、深さが３５ｍｍで、直径が８０ｍｍ程度とし、体圧分散性に優れたものとし、また、踵部と接する位置とその近傍７０の裏面に設けられているくり抜き孔１２の深さは、マットレス片１０の厚さが４０ｍｍの場合は、３０ｍｍ（孔の深さは、７０ｍｍ）程度とすると他の位置よりも沈み込みを大きくすることができるが、これらに限定されるものではない。
【００３８】
さらに、マットレス片１０をＪＩＳ  Ｋ６４０１に準拠して２５％圧縮した際の硬さが、およそ９０〜１１０Ｎ程度にすることで、体圧分散性の向上が望める。また、スリット１４の深さは、第１の実施形態と同様である。そして、マットレス片１０のうち、患者等が寝た際に臀部が接する位置とその近傍の裏面に設けるくり抜き孔１２のくり抜き深さを他のくり抜き孔１２よりも浅くして、沈み込みを抑えるようにしても良い。
【００３９】
また、患者等が寝た際に頭部が接する位置とその近傍の裏面に設けたくり抜き孔１２のくり抜き深さを他のくり抜き孔１２よりも浅くして、沈み込みを抑えるようにしても良い。
【００４０】
続いて、本発明に係る積層マットレスの実施形態について図面を参照しながら説明する。図５は、本発明に係る積層マットレスの実施形態を示したもので、（ａ）側面図、（ｂ）は平面図を表している。なお、１６は積層マットレス、１８は最上層マットレス片、２０は中間層マットレス片、２２は最下層マットレス片を示し、その他の符号は、図１と同様である。
【００４１】
本実施形態における積層マットレス１６は、図５（ａ）に示すように、３層構造のポリウレタンフォームからなる積層マットレスで、最上層マットレス片１８、中間層マットレス片２０、最下層マットレス片２２をそれぞれ積層してなるものである。
【００４２】
最上層マットレス片１８の裏面には、半球状のくり抜き孔１２が、所定の間隔をもって複数個並設されている。なお、本実施形態では、最上層マットレス片１８の周側部分の裏面には、くり抜き孔１２を設けないことで、患者等が積層マットレス１６の周側部分に座った際に、体の沈み込みを防止することが可能となっている。また、最上層マットレス片１８の表面には、図５（ａ）及び（ｂ）に示すように、くり抜き孔１２の位置に対応する部位を囲むようにスリット１４が最上層マットレス片１８の裏面に向けて、途中の深さ（最上層マットレス片１８の裏面に到達しない位置）まで設けられている。
【００４３】
続いて、中間層マットレス片２０が、最上層マットレス片１８の下側（裏面）の所定箇所に接着（図５（ｂ）中、ハッチング部分にて接着）されるとともに、最下層マットレス片２２が、中間層マットレス片２０の下側（裏面）に接着されることによって、３層構造の積層マットレス１６が形作られる。また、中間層マットレス片２０の両端側を高硬度のウレタンフォームで構成することにより、端座位の安定と、離床時のサポートを図ることができるようになっている。
【００４４】
なお、最上層マットレス片１８と中間層マットレス片２０との接着には、ゴム系接着剤を使用し、また、中間層マットレス片２０と最下層マットレス片２２とは、ホットメルトによって接着することが望ましいが、本発明はこれに限定されるものではない。
【００４５】
上記のように、最上層マットレス片１８にくり抜き孔１２及びスリット１４を設けることによって、最上層マットレス片１８が表面側からの荷重を受けた際に、一定量の沈み込みに対しては、スリット１４に囲まれた最上層マットレス片１８の部位毎に圧縮させずに、変形させることができるため（図６（ｂ）参照）、積層マットレス１６全体として、低圧力でも患者等の体を一定量沈みこませることが可能となり、また、体にかかる圧力（反力）を軽減させることも可能となる。
【００４６】
なお、本実施形態における最上層マットレス片１８のくり抜き孔１２は、最上層マットレス片１８の厚みが４０ｍｍの場合は、深さが２５ｍｍで、直径が７０ｍｍとし、最上層マットレス片１８の厚みが５０ｍｍの場合は、深さが３５ｍｍで、直径が８０ｍｍ程度とし、体圧分散性に優れたものとするが、これに限定されるものではない。
【００４７】
また、スリット１４の深さは、最上層マットレス片１８の厚みが４０ｍｍの場合は、２０ｍｍ程度、最上層マットレス片１８の厚みが５０ｍｍの場合は、２５ｍｍ程度とするのが好ましく、さらに、最上層マットレス片１８及び中間層マットレス片２０をＪＩＳ  Ｋ６４０１に準拠して２５％圧縮した際の硬さが、およそ９０〜１１０Ｎ程度にすることで、体圧分散性の向上が望める。
【００４８】
また、最上層マットレス片１８のうち、患者等が寝た際に臀部と接する位置とその近傍の裏面に設けられているくり抜き孔１２のくり抜き深さを他の位置に設けられているくり抜き孔１２よりも浅くし、臀部と接する位置とその近傍の沈み込みを他の位置の沈み込みよりも抑えるようにしても良い。またさらに、患者等が寝た際に頭部が接する位置とその近傍の裏面に設けたくり抜き孔１２のくり抜き深さを他のくり抜き孔１２よりも浅くして、沈み込みを抑えるようにしても良い。
【００４９】
さらに、最上層マットレス片１８のうち、患者等が寝た際に踵部と接する位置とその近傍の裏面に設けられているくり抜き孔１２のくり抜き深さを他の位置に設けられているくり抜き孔１２よりも深くし、踵部と接する位置とその近傍の沈み込みを他の位置の沈み込みよりも大きくするようにしても良い。なお、本実施形態の積層マットレスは、３層構造としているが、本発明はこれに限定されるものではない。
【産業上の利用可能性】
【００５０】
本発明に係るマットレス片及び積層マットレスは、表面への荷重を受けると、一定量の沈み込みに対しては、スリットに囲まれたマットレス片の部位毎に圧縮させずに変形させるものであるため、患者等が寝た際の安定感や高い除圧性能を求める場合に好適に用いることができる。
【符号の説明】
【００５１】
１０    マットレス片
１２    くり抜き孔
１４    スリット
１６    積層マットレス
１８    最上層マットレス片
２０    中間層マットレス片
２２    最下層マットレス片
３０    孔
３２    くり抜き用板
３４    凸部
３６    凸板
【図１】
2012000169.tif 000003
【図２】
2012000169.tif 000004
【図３】
2012000169.tif 000005
【図４】
2012000169.tif 000006
【図５】
2012000169.tif 000007
【図６】
2012000169.tif 000008
【図７】
2012000169.tif 000009
【手続補正書】
【提出日】平成22年7月5日(2010.7.5)
【手続補正１】
【補正対象書類名】明細書
【補正対象項目名】００２５
【補正方法】変更
【補正の内容】
【００２５】
くり抜き孔１２及びスリット１４を設けることによって、マットレス片１０が、表面側からの荷重を受けた際に、一定量の沈み込みに対しては、スリット１４に囲まれたマットレス片１０の部位（くり抜き孔１２の位置に対応する部位）毎に圧縮させずに、変形させることができるため（図６（ｂ）参照）、低圧力でも患者等の体を一定量沈みこませることが可能となり、図７にグラフとして示すように、従来のマットレス片に比べ、体にかかる圧力（反力）を軽減させることができる（ΔＰ分の圧力が軽減する）。
【手続補正２】
【補正対象書類名】図面
【補正対象項目名】図７
【補正方法】変更
【補正の内容】
【図７】
2012000169.tif 000010